(57)【特許請求の範囲】
【請求項１】
シート毎に複数のドキュメントページを順次割り付ける割り付け印刷に関する設定を受け付ける受付手段と、
前記受付手段で前記割り付け印刷を受け付けた場合、複数の前記ドキュメントページのイメージ画像とともに表示され、前記イメージ画像の中から前記割り付け印刷を行わない指定ページを選択させる第１選択手段と、
前記第１選択手段とともに表示され、複数の前記ドキュメントページの中に、前記シートの大きさと異なる大きさのページが含まれる場合にのみ、当該ページに対して前記シートの大きさに合わせるか否かを選択させる第２選択手段と、
前記第１選択手段及び第２選択手段に応じた処理を行う処理手段と、
前記処理手段の処理結果に基づいて、複数の前記ドキュメントページの印刷データを生成する印刷データ生成手段と、を備える印刷制御装置。
【請求項２】
請求項１に記載の印刷制御装置において、
前記第１選択手段は、前記イメージ画像を属性に基づいてグループに分類し、分類した前記グループを選択させることを特徴とする印刷制御装置。
【請求項３】
シート毎に複数のドキュメントページを順次割り付ける割り付け印刷に関する設定を受け付ける受付手段と、
前記受付手段で前記割り付け印刷を受け付けた場合、複数の前記ドキュメントページのイメージ画像とともに表示され、前記イメージ画像の中から前記割り付け印刷を行わない指定ページを選択させる第１選択手段と、
前記第１選択手段とともに表示され、複数の前記ドキュメントページの中に、前記シートの大きさと異なる大きさのページが含まれる場合にのみ、当該ページに対して前記シートの大きさに合わせるか否かを選択させる第２選択手段と、
前記第１選択手段及び第２選択手段に応じた処理を行う処理手段と、
前記処理手段の処理結果に基づいて、複数の前記ドキュメントページの印刷データを生成する印刷データ生成手段としてコンピュータを機能させる印刷制御プログラム。
【発明の詳細な説明】
【技術分野】
【０００１】
本発明は、印刷制御装置および印刷制御方法に関する。
【背景技術】
【０００２】
プリンターやコピー装置などの画像形成装置は、複数ページを１枚のシートに割り付けて印刷する割り付け印刷機能を有するものがある。この割り付け印刷では、例えば、Ａ４サイズの原稿を縮小して、Ａ４のシートに複数ページ（例えば、２ページや４ページ）が印刷される。このような割り付け印刷は用紙節約効果が得られ、環境保護意識の高まりが著しい昨今において幅広く利用されている。
例えば、下記特許文献１には、異なる用紙サイズが混在する文書データで割り付け印刷を行うときに、用紙サイズ単位で割り付けをして印刷するプリンタードライバーが記載されている。
【先行技術文献】
【特許文献】
【０００３】
【特許文献１】特開２００８−２５７５６３号公報
【発明の概要】
【発明が解決しようとする課題】
【０００４】
しかしながら、割り付け印刷の設定は、用紙サイズ単位で行うため、同一の用紙サイズの各ページに文書や図形等が混在する場合であっても、一律に設定された割り付けで印刷される。従って、小さい図や写真等を含むページも割り付けて印刷されるため、図や写真は縮小されることから、図や写真の詳細な箇所の視認は困難であった。本発明は、割り付け印刷をページ毎に容易に設定することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる印刷制御装置は、シート毎に複数のドキュメントページを順次割り付ける割り付け印刷に関する設定を受け付ける受付手段と、前記受付手段で前記割り付け印刷を受け付けた場合、複数の前記ドキュメントページのイメージ画像を表示し、前記割り付け印刷を行わない指定ページを前記イメージ画像の中から選択させる選択手段と、前記選択手段で選択された前記指定ページに対して割り付けを行わず、前記指定ページを除く前記ドキュメントページに対して割り付けを行う割り付け処理手段と、前記割り付け処理手段の処理結果に基づいて、複数の前記ドキュメントページの印刷データを生成する印刷データ生成手段と、を備えることを特徴とする。
【０００７】
このような構成によれば、印刷制御装置は、割り付け印刷を行う印刷データを生成する場合、複数のドキュメントページのイメージ画像をそれぞれ表示し、表示したイメージ画像の中から割り付け印刷を適用しない指定ページが選択され、選択された指定ページに対しては割り付けを行わず、他方で、指定ページを除くドキュメントページに対しては割り付けを行うべく設定する。従って、複数のドキュメントページのイメージ画像を視認しつつ、割り付け印刷を適用しない指定ページを選択できるため、割り付け印刷の設定をページ毎に容易に行うことができる。
【０００８】
［適用例２］
上記適用例にかかる印刷制御装置において、前記選択手段は、複数の前記ドキュメントページの中に、前記シートの大きさと異なる大きさのページが含まれる場合、前記ページの大きさを前記シートの大きさに合わせるか否かを更に選択させ、前記選択手段で選択された結果に基づいて、前記ページの大きさを拡大または縮小して前記シートの大きさに合わせる拡縮処理手段を備えることを特徴とする。
【０００９】
このような構成によれば、複数のドキュメントページの中に、シートの大きさと異なる大きさのページが含まれる場合、必要に応じて、ページの大きさを拡大または縮小してシートの大きさに合わせることができる。
【００１０】
［適用例３］
上記適用例にかかる印刷制御装置において、前記選択手段は、前記イメージ画像を属性に基づいてグループに分類し、分類した前記グループを選択させても良い。
【００１１】
［適用例４］
本適用例にかかる印刷制御方法は、シート毎に複数のドキュメントページを順次割り付ける割り付け印刷に関する設定を受け付ける受付工程と、前記受付工程で前記割り付け印刷を受け付けた場合、複数の前記ドキュメントページのイメージ画像を表示し、前記割り付け印刷を行わない指定ページを前記イメージ画像の中から選択する選択工程と、前記選択工程で選択された前記指定ページに対して割り付けを行わず、前記指定ページを除く前記ドキュメントページに対して割り付けを行う割り付け処理工程と、前記割り付け処理工程の処理結果に基づいて、複数の前記ドキュメントページの印刷データを生成する印刷データ生成工程と、を備えることを特徴とする。
【００１２】
このような方法によれば、割り付け印刷を行う印刷データを生成する場合、複数のドキュメントページのイメージ画像をそれぞれ表示し、表示したイメージ画像の中から割り付け印刷を適用しない指定ページが選択され、選択された指定ページに対しては割り付けを行わず、他方で、指定ページを除くドキュメントページに対しては割り付けを行うべく設定する。従って、複数のドキュメントページのイメージ画像を視認しつつ、割り付け印刷を適用しない指定ページを選択できるため、割り付け印刷の設定をページ毎に容易に行うことができる。
【００１３】
［適用例５］
本適用例にかかる印刷制御装置は、シート毎に複数のドキュメントページを順次割り付ける割り付け印刷に関する設定を受け付ける受付手段と、前記受付手段で前記割り付け印刷を受け付けた場合、前記ドキュメントページの属性情報に基づいて、前記ドキュメントページに対して割り付けの可否を決定し、前記可否に応じて前記ドキュメントページに対して割り付けを行う割り付け処理手段と、前記割り付け処理手段の処理結果に基づいて、複数の前記ドキュメントページの印刷データを生成する印刷データ生成手段と、を備えることを特徴とする。
【００１４】
このような構成によれば、印刷制御装置は、割り付け印刷を行う印刷データを生成する場合、ドキュメントページの属性情報に基づいて、ドキュメントページに対して割り付けの可否を決定し、可否に応じてドキュメントページに対して割り付けを行う。従って、ドキュメントページに対する割り付け印刷の設定をページ毎に容易に行うことができる。
【図面の簡単な説明】
【００１５】
【図１】本発明の実施形態に係るプリンタードライバーが組み込まれたコンピューターの概略構成を示す図。
【図２】本発明の実施形態に係るプリンタードライバーのモジュール構成を示す図。
【図３】印刷条件設定画面を示す図。
【図４】割り付け印刷の設定入力画面を示す図。
【図５】割り付け除外設定画面を示す図。
【図６】割り付け除外設定画面を示す図。
【図７】割り付け除外された印刷結果を示す図。
【図８】割り付け処理モジュールの処理の流れを示すフローチャート。
【発明を実施するための形態】
【００１６】
以下、プリンターを制御する印刷制御装置について図面を参照して説明する。
【００１７】
（実施形態）
図１は、印刷制御装置として機能するプリンタードライバー５０が組み込まれたコンピューター１０の概略構成を示す構成図である。この図１において、コンピューター１０は演算処理の中枢をなすＣＰＵ（Ｃｅｎｔｒａｌ  Ｐｒｏｃｅｓｓｉｎｇ  Ｕｎｉｔ）１１を備えており、このＣＰＵ１１はシステムバス１２を介してＲＯＭ（Ｒｅａｄ  Ｏｎｌｙ  Ｍｅｍｏｒｙ）１３やＲＡＭ（Ｒａｎｄｏｍ  Ａｃｃｅｓｓ  Ｍｅｍｏｒｙ）１４にアクセス可能となっている。また、システムバス１２には外部記憶装置としてのハードディスクドライブ１５とＣＤ−ＲＯＭドライブ１６とフロッピー（登録商標）ディスクドライブ１７とが接続されており、このハードディスクドライブ１５に接続されてデータを格納するハードディスク２２には、ソフトウェアとしてオペレーティングシステムや、文書情報や画像情報を作成可能なアプリケーションプログラム（図示は略す。）等が格納されており、これらのソフトウェアは、実行時にＣＰＵ１１によって適宜ＲＡＭ１４に転送される。そして、ＣＰＵ１１は、ＲＡＭ１４に適宜アクセスしてソフトウェアを実行する。すなわち、ＲＡＭ１４を一時的なワークエリアとして利用しつつ種々のプログラムが実行されることになる。
【００１８】
上記システムバス１２には入力インターフェース１８が接続されており、この入力インターフェース１８には、キーボード２７やマウス２８が操作用入力機器として接続されている。また、システムバス１２にはＣＲＴインターフェース１９が接続されるとともに、このＣＲＴインターフェース１９を介して表示用のディスプレイ２９が接続されている。さらに、システムバス１２にはプリンターインターフェース２０が接続されるとともに、このプリンターインターフェース２０を介して所定の印刷ジョブを印刷するプリンター３０が接続されている。本実施形態では、コンピューター１０の構成を簡略化して説明しているが、パーソナルコンピューターとして一般的な構成を有するものを採用することができることは言うまでもない。
【００１９】
また、本実施形態で適用されるコンピューター１０は、パーソナルコンピューターに限定されるものではない。また、デスクトップ型コンピューターに限定されず、ノート型コンピューターや、モバイル対応コンピューターであっても良い。また、コンピューター１０とプリンター３０との接続インターフェースもパラレル接続に限る必要はなく、シリアルインタフェースやＳＣＳＩ（Ｓｍａｌｌ  Ｃｏｍｐｕｔｅｒ  Ｓｙｓｔｅｍ  Ｉｎｔｅｒｆａｃｅ）、ＵＳＢ（Ｕｎｉｖｅｒｓａｌ  Ｓｅｒｉａｌ  Ｂｕｓ）接続など種々の接続態様を採用可能である。
【００２０】
また、上述したように各ソフトウェア類は、ハードディスク２２に格納されているが、各ソフトウェアを格納可能な記録媒体は、ハードディスク２２に限定されるものではない。例えば、ＣＤ−ＲＯＭ２３であるとか、フロッピー（登録商標）ディスク２４であってもよい。これらの記録媒体に記録されたソフトウェアは、ＣＤ−ＲＯＭドライブ１６やフロッピー（登録商標）ディスクドライブ１７を介してコンピューター１０にて読み込まれ、ハードディスク２２にインストールされることになる。そして、上述したようにＣＰＵ１１によってハードディスク２２を介してＲＡＭ１４上に読み込まれて各種処理が実行されることになる。また、記録媒体は、これらに限定されず、光磁気ディスクなどであってもよい。また、半導体デバイスとしてフラッシュメモリーなどの不揮発性メモリーなどを利用することも可能である。また、システムバス１２に接続されたモデム等の通信インターフェース２１によって所定の通信回線２５に接続し、この通信回線２５上に設置されている各プログラム類を格納可能なファイルサーバー２６にアクセスして、各ソフトウェア類をダウンロードすることも可能である。
【００２１】
プリンター３０は、図示しないＣＰＵ、ファームウェア等を備えており、このファームウェアに記載されたプログラムに従って、コンピューター１０から送信されるＣＭＹＫのデータやページ記述言語等からなる印刷ジョブデータを、プリンターインターフェース２０経由で受信する。そして、プリンター３０では印刷ジョブデータに基づいて所定の駆動装置にて印字ヘッドや印刷用紙搬送機構を駆動しつつ印刷を実行する。
【００２２】
次に、図２は、プリンタードライバー５０が有するモジュールについての構成を示す図である。このプリンタードライバー５０は、印刷設定取得モジュール５４、割り付け処理モジュール５６、画像処理モジュール６０、ハーフトーン処理モジュール６２、印刷イメージデータ形成モジュール６４、および、これらの各機能部を制御する機能制御モジュール５２を備え、これらの各モジュール５４〜６４は、機能制御モジュール５２の制御に基づいて所定の機能を実現しつつ連携して動作して印刷ジョブデータを生成する。
印刷設定取得モジュール５４は、各種印刷設定を取得する。本実施形態では、プリンタードライバー５０のＵＩ（Ｕｓｅｒ  Ｉｎｔｅｒｆａｃｅ）画面で設定された印刷設定は、Ｄｅｖｍｏｄｅと呼ばれる記憶領域に記憶されている。この印刷設定取得モジュール５４は、Ｄｅｖｍｏｄｅ記憶領域から印刷設定の情報を取得する。
【００２３】
割り付け処理モジュール５６は、割り付け処理手段であり、印刷イメージデータ形成モジュール６４が印刷イメージデータを形成する際、印刷設定に基づいて展開した複数ページのビットマップを１シート上に配置する。この割り付け処理モジュール５６は、ビットマップを拡大または縮小処理する拡縮処理部（拡縮処理手段）５８を備える。
ここで、例えば、２ページのＡ４原稿（縦）をＡ４用紙（横）に２ページ分割り付ける場合（２−ｕｐ）、拡縮処理部５８は、自身の解像度よりも少ない解像度をＧＤＩ（Ｇｒａｐｈｉｃａｌ  Ｄｅｖｉｃｅ  Ｉｎｔｅｒｆａｃｅ）に伝えることにより、それぞれの原稿のビットマップをＡ５縦の領域として縮小して展開させる。そして、割り付け処理モジュール５６は、Ａ４用紙（横）の印刷開始位置に最初のページのビットマップを配置すると共に、改ページ制御コマンドを除去する。そして、Ａ４用紙（横）の印刷開始位置からＡ５ページ分ずらした位置に、次のページのビットマップを配置し、改ページ制御コマンドを付加することで割り付け処理を行うことができる。
【００２４】
また、割り付け処理モジュール５６は、指定されたページに対しては割り付け処理を行わず、１ページに１原稿を割り当てる（１−ｕｐ）。本実施形態では、後述するＵＩ画面で割り付け処理を行わない（除外する）ページを指定する。この場合、拡縮処理部５８は、割り付け処理を除外したページに関して、自身の解像度と異なる解像度をＧＤＩに伝えることで、拡大または縮小処理のみを行うことができる。これらの設定は、Ｄｅｖｍｏｄｅ記憶領域の拡張領域に定義される。
画像処理モジュール６０は、色修正処理等の画像処理を行う。また、ハーフトーン処理モジュール６２は、色修整処理等の画像処理が施された印刷データにハーフトーン処理を行う。印刷イメージデータ形成モジュール６４は、印刷データ生成手段であり、割り付け処理モジュール５６、画像処理モジュール６０およびハーフトーン処理モジュール６２により作成された印刷イメージデータをページ単位で形成し、印刷ジョブデータを作成する。作成した印刷ジョブデータは、スプーラーを経てプリンター３０に送信され、印刷ジョブデータに基づいて印刷が実行される。
【００２５】
ここで、本実施形態では、ユーザーがアプリケーションプログラムにて印刷を選択し、文書等の印刷を行なうに際し、この印刷が選択されたときに起動されるプリンタードライバー５０にて所定の印刷設定を行う。このとき、ユーザーは、アプリケーションプログラムにて印刷機能を選択するにあたり、図３に示す印刷条件設定画面１００を呼び出す。
印刷条件設定画面１００は、ユーザーが指定する印刷設定の入力を受け付ける。この印刷条件設定画面１００には、用紙サイズ１０１、印刷方向１０２、給紙装置１０３、用紙種類１０４、色１０５、両面印刷１０６、割り付け１０８などの指定を受ける領域が含まれている。ユーザーは、これらの領域にそれぞれ所望の条件を設定することができる。
また、印刷条件設定画面１００は、割り付け設定ボタン１１０を有している。この割り付け設定ボタン１１０は、割り付け１０８がチェックされた場合、押下可能になる。割り付け設定ボタン１１０が押下されると、図４に示す割り付け設定入力画面２００へ遷移する。
【００２６】
割り付け設定入力画面２００は、割り付け印刷について、ユーザーが指定する割り付け設定の入力を受け付ける受付手段である。割り付け設定入力画面２００は、割り付けページ数の設定領域２１０と、割り付け順序の設定領域２２０と、割り付けを除外するページを設定するための割り付け除外設定ボタン２３０とを有する。
割り付けページ数の設定領域２１０は、１ページに割り当てるページ数の設定を受け付ける。同図の例では、２ページまたは４ページのいずれかを選択することができる。また、割り付け順序の設定領域２２０は、シートに複数ページを割り当てる順序の選択を受け付ける。
【００２７】
また、割り付け除外設定ボタン２３０が押下されると、選択手段、即ち、図５で示す第１の割り付け除外設定画面２５０、または図６で示す第２の割り付け除外設定画面２７０に遷移する。何れの画面に遷移するかは、ユーザーが予め設定しても良い。また、プリンタードライバー５０が印刷対象である文書情報を解析し、文書データとイメージデータが混在する状態等に応じて決定しても良い。また、予め自動処理が設定されており、この割り付け除外設定ボタン２３０が押下された場合、これらの設定画面に遷移せず、自動処理の設定に従って所定の割り付けが除外される。この場合、各ページの属性情報やデータ種別に基づいて割り付け除外が決定されても良い。即ち、図形や写真が貼り付けられたページである場合、割り付け除外を自動的に決定しても良い。
【００２８】
第１の割り付け除外設定画面２５０は、各ページのイメージ画像２５３がページ順に表示され、それぞれのイメージ画像２５３に対して割り付け除外ボタン２５５が選択可能に表示される。また、プリンタードライバー５０で設定された出力用紙サイズとは異なる原稿サイズのページが含まれる場合、割り付け除外の設定に関係なく、そのページのイメージ画像２５３に対して設定ボタン２６０が選択可能に表示される。
また、第１の割り付け除外設定画面２５０の下部には、全てのページのイメージ画像２５３に対して一括に設定可能な一括設定ボタン２６５が選択可能に表示される。
【００２９】
第２の割り付け除外設定画面２７０は、各ページのイメージ画像２７３がページ順に表示され、更に、それぞれのイメージ画像２７３の属性を示すデータ種別情報２７５に基づいてグループ化されて表示され、割り付け除外ボタン２８０がグループ単位で選択可能に表示される。本実施形態では、プリンタードライバー５０で設定された出力用紙サイズとは異なる原稿サイズのページがグループに含まれる場合、割り付け除外の設定に係わり無く、そのグループに対して設定ボタン２８５が選択可能に表示される。尚、イメージ画像２７３のデータ種別や、オブジェクトを含むか否かの情報は、ＧＤＩとプリンタードライバー５０の間で授受される情報（フォントイメージ情報、パス描画情報、イメージ描画情報）に基づいて判定される。本実施形態では、データ種別は、「文書」および「イメージ」の何れかであるが、これらには限定されない。また、同じページ内に「文書」と「イメージ」が混在している場合は、「イメージ」のグループに入る。
また、第２の割り付け除外設定画面２７０の下部には、全てのページのイメージ画像２７３に対して一括に設定可能な一括設定ボタン２９０が選択可能に表示される。
【００３０】
図５で示す第１の割り付け除外設定画面２５０、または図６で示す第２の割り付け除外設定画面２７０で設定された情報は、Ｄｅｖｍｏｄｅ記憶領域の所定位置に書き込まれる。尚、図７は、Ａ４原稿の中に、Ａ３またはＬ判サイズの原稿が混在し、出力用紙がＡ４に設定された場合における、本実施形態での印刷結果の一例である。
【００３１】
図８は、割り付け処理モジュール５６の処理の流れを示すフローチャートである。この処理は、プリンタードライバー５０が割り付け処理を行う場合に呼ばれる。この処理が開始されると、最初に、コンピューター１０のＣＰＵ１１は、Ｄｅｖｍｏｄｅ記憶領域に書き込まれた割り付け設定を取得する（ステップＳ３００）。続いて、ＣＰＵ１１は、所定の１ページの情報を取得する（ステップＳ３１０）。次に、ＣＰＵ１１は、そのページに対して、縮小または拡大処理が指示されているか、否かを判定する（ステップＳ３１５）。
ここで、そのページに対して縮小または拡大処理が指示されていると判定した場合（ステップＳ３１５でＹｅｓ）、ＣＰＵ１１は設定されている出力用紙に合わせて、そのページを拡大または縮小処理し（ステップＳ３２０）、ステップＳ３２５に進む。他方で、そのページに対して縮小または拡大処理が指示されていないと判定した場合（ステップＳ３１５でＮｏ）、ステップＳ３２５に進む。
【００３２】
ステップＳ３２５では、ＣＰＵ１１は、そのページに対して、割り付けが除外されているか、否かを判定する。ここで、そのページに対して割り付けが除外されていないと判定した場合（ステップＳ３２５でＮｏ）、ＣＰＵ１１は、割り付け処理を行い（ステップＳ３３０）、ステップＳ３３５に進む。他方で、そのページに対して割り付けが除外されていると判定した場合（ステップＳ３２５でＹｅｓ）、ステップＳ３３５に進む。
ステップＳ３３５では、ＣＰＵ１１は、１ページの印刷イメージデータを形成する。次に、ＣＰＵ１１は、全てのページは処理された、否かを判定する（ステップＳ３４０）。
【００３３】
ここで、全てのページは処理されていないと判定した場合（ステップＳ３４０でＮｏ）、ＣＰＵ１１は、次のページの情報を取得し（ステップＳ３４５）、縮小または拡大処理が指示されているか、否かを判定する工程（ステップＳ３１５）に戻り、以降のページを順次処理する。他方で、全てのページは処理されたと判定した場合（ステップＳ３４０でＹｅｓ）、ＣＰＵ１１は印刷データを生成し（ステップＳ３５０）、一連の処理を終了する。
【００３４】
以上述べた実施形態によれば、第１の割り付け除外設定画面２５０または第２の割り付け除外設定画面２７０のようなＵＩ画面を介して、割り付けを除外するページを設定できるため、割り付けを除外対象とするページを視覚的かつ容易に指定できる。更に、プリンタードライバー５０で設定された出力用紙サイズとは異なる原稿サイズのページが含まれている場合であっても、そのようなページを視覚的に識別し、出力用紙サイズに合わせて割り付けることができる。
【００３５】
本発明の実施形態について、図面を参照して説明したが、具体的な構成は、この実施形態に限られるものではなく、本発明の要旨を逸脱しない範囲の設計変更等も含まれる。また、以上のような手法を実施する装置は、単独の装置によって実現される場合もあれば、複数の装置を組み合わせることによって実現される場合もあり、各種の態様を含むものである。
【符号の説明】
【００３６】
１０…コンピューター、１１…ＣＰＵ、１２…システムバス、１３…ＲＯＭ、１４…ＲＡＭ、１５…ハードディスクドライブ、１６…ＣＤ−ＲＯＭドライブ、１７…フロッピー（登録商標）ディスクドライブ、１８…入力インターフェース、１９…ＣＲＴインターフェース、２０…プリンターインターフェース、２１…通信インターフェース、２２…ハードディスク、２３…ＣＤ−ＲＯＭ、２４…フロッピー（登録商標）ディスク、２５…通信回線、２６…ファイルサーバー、２７…キーボード、２８…マウス、２９…ディスプレイ、３０…プリンター、５０…プリンタードライバー、５２…機能制御モジュール、５４…印刷設定取得モジュール、５６…割り付け処理モジュール、５８…拡縮処理部、６０…画像処理モジュール、６２…ハーフトーン処理モジュール、６４…印刷イメージデータ形成モジュール、１００…印刷条件設定画面、１０１…用紙サイズ、１０２…印刷方向、１０３…給紙装置、１０４…用紙種類、１０５…色、１０６…両面印刷、１１０…割り付け設定ボタン、２００…設定入力画面、２１０…割り付けページ数の設定領域、２２０…割り付け順序の設定領域、２３０…除外設定ボタン、２５０…除外設定画面、２５３…イメージ画像、２５５…割り付け除外ボタン、２６０…設定ボタン、２６５…一括設定ボタン、２７０…除外設定画面、２７３…イメージ画像、２７５…イメージのデータ種別情報、２８０…割り付け除外ボタン、２８５…設定ボタン、２９０…一括設定ボタン。
【図１】
0005577766.tif 000002
【図２】
0005577766.tif 000003
【図３】
0005577766.tif 000004
【図４】
0005577766.tif 000005
【図５】
0005577766.tif 000006
【図６】
0005577766.tif 000007
【図７】
0005577766.tif 000008
【図８】
0005577766.tif 000009